(57)【要約】      （修正有）【課題】紙に折り目をつけることなく、下敷き本体に紙を載置しても文字のバランスを整える補助線をはっきりと使用者に視認させることできる発光型書道用下敷きを提供する。【解決手段】下敷き１は、下敷き本体２と、発光体３を備えている。下敷き本体２は、紙Ｐが載置される載置面２ａを有する。そして、発光体３は、下敷き本体２の載置面２ａに設けられている。この発光体３が、発光することでその光Ｌが紙Ｐに文字を書く際の補助線となる。【選択図】図３
0003164761.tif 000002
【実用新案登録請求の範囲】
【請求項１】
紙が載置される載置面を有する下敷き本体と、
前記下敷き本体の前記載置面に設けられ、発光することでその光が前記紙に文字を書く際の補助線となる発光体と、
を備えた発光型書道用下敷き。
【請求項２】
前記発光体は、複数の発光部からなり、
前記複数の発光部の発光及び消灯を操作する操作部を設けた
請求項１に記載の発光型書道用下敷き。
【請求項３】
前記発光体は、前記載置面に直線状に配置されている
請求項１又は２に記載の発光型書道用下敷き。
【請求項４】
前記発光体は、複数の点状光源からなる
請求項１〜３のいずれかに記載の発光型書道用下敷き。
【請求項５】
前記発光体は、光源と、前記光源から出射された光を導く導光部材と、から構成される
請求項１〜４のいずれかに記載の発光型書道用下敷き。
【考案の詳細な説明】
【技術分野】
【０００１】
本考案は、書道を行う際に半紙や和紙等の紙の下に敷いて用いられる発光型書道用下敷きに関する。
【背景技術】
【０００２】
従来、文字をバランス良く紙に書くために、文字を前に紙に折り目をつけて紙を所定の大きさの区画に分割することが行われている。しかしながら、紙に折り目をつける方法は、事前に紙を折る必要があり、文字を書く前の準備が大変煩雑なものであった。さらに、文字を書いた後も折り目が残るため、見栄えが悪くなる、という問題を有していた。
【０００３】
このような問題を解決するために、例えば、特許文献１に記載されているような技術が提案されている。この特許文献１には、紙を載置する下敷き本体の一面に、文字をバランス良く書くための文字枠を設ける技術が開示されている。
【先行技術文献】
【特許文献】
【０００４】
【特許文献１】特開２００７−１３３０００号公報
【考案の概要】
【考案が解決しようとする課題】
【０００５】
しかしながら、特許文献１に開示されている技術では、文字のバランスをとるための文字枠、すなわち補助線は、下敷き本体に印刷や織り込み、刺繍等を施すことによって形成されていた。そのため、下敷き本体に紙を載置すると、補助線が紙によって隠れ、補助線が見えにくくなっていた。その結果、特許文献１に記載されている下敷きを用いても、事前に紙に折り目をつける必要があった。また、下敷き本体に形成された補助線が透けて見えるような薄い紙を用いなければならず、文字を書く際に、紙を選ぶ必要があった。
【０００６】
本考案の目的は、上記の問題点を考慮し、紙に折り目をつけることなく、下敷き本体に紙を載置しても文字のバランスを整える補助線をはっきりと使用者に視認させることできる発光型書道用下敷きを提供することにある。
【課題を解決するための手段】
【０００７】
上記課題を解決し、本考案の目的を達成するため、本考案の発光型書道用下敷きは、紙が載置される載置面を有する下敷き本体と、下敷き本体の載置面に設けられる発光体と、備え、この発光体が発光することでその光が紙に文字を書く際の補助線となるようにしたものである。
【考案の効果】
【０００８】
本考案の発光型書道用下敷きによれば、文字を書く際の補助線を発光体で構成することで、下敷き本体に紙を載置しても、発光体の光が紙を透過することにより、補助線をはっきりと使用者に視認させることができる。
【０００９】
また、紙に折り目をつける必要がなくなるため、文字を書いた後に折り目が残らず、文字を書き終えた後の見栄えを良くすることができる。
【図面の簡単な説明】
【００１０】
【図１】本考案の発光型書道用下敷きの第１の実施の形態例を示す斜視図である。
【図２】本考案の発光型書道用下敷きの第１の実施の形態例の要部を拡大して示す斜視図である。
【図３】本考案の発光型書道用下敷きの第１の実施の形態例における使用状態を示す正面図である。
【図４】本考案の発光型書道用下敷きの第１の実施の形態例を示すもので、図４（Ａ）は２つに分割した状態を示す正面図、図４（Ｂ）は６つに分割した状態を示す正面図、図４（Ｃ）は、９つに分割した状態を示す正面図である。
【図５】本考案の発光型書道用下敷きの第２の実施の形態例の要部を拡大して示す斜視図である。
【考案を実施するための形態】
【００１１】
以下、本考案の発光型書道用下敷きの実施の形態例について、図１〜図５を参照して説明する。なお、各図において共通の部材には、同一の符号を付している。また、本考案は、以下の形態に限定されるものではない。
なお、説明は以下の順序で行う。
１．第１の実施の形態例
１−１．発光型書道用下敷きの構成例
１−２．発光型書道用下敷きの使用方法
２．第２の実施の形態例
【００１２】
＜第１の実施の形態例＞
１−１．発光型書道用下敷きの構成例
まず、図１〜図３を参照して本考案の第１の実施の形態例（以下、「本例」という。）にかかる発光型書道用下敷きの構成について説明する。
図１は、本例の発光型書道用下敷きを示す斜視図、図２は、本例の発光型書道用下敷きの要部を示す斜視図、図３は、本例の発光型書道用下敷きを使用した状態を示す正面図である。
【００１３】
図１に示すように、発光型書道用下敷き１は、下敷き本体２と、複数の発光部を有する発光体３と、操作ボックス７と、から構成されている。下敷き本体２は、略長方形に形成されており、載置される紙Ｐよりも大きく設定されている（図３参照）。そして、この下敷き本体２の材質としては、例えば樹脂や動物の毛からなるフェルト生地が挙げられる。また、下敷き本体２における紙が載置される載置面２ａには、発光体３が設けられる。
【００１４】
発光体３は、下敷き本体２の長手方向に沿って直線状に形成された３つの縦線用発光部４ａ，４ｂ，４ｃと、下敷き本体２の短手方向に沿って直線状に形成された３つの横線用発光部５ａ，５ｂ，５ｃを有している。第１の縦線用発光部４ａは、下敷き本体２の短手方向の略中心に配置されており、下敷き本体２を短手方向に２つに分割するように配置されている。
【００１５】
また、第２の縦線用発光部４ｂと第３の縦線用発光部４ｃは、下敷き本体２を短手方向に３つに分割した位置に配置されている。なお、下敷き本体２は紙Ｐよりも大きく形成されているため、第２の縦線用発光部４ｂと第３の縦線用発光部４ｃは、下敷き本体２の短手方向の両側から若干中心側に寄せて設けられている。
【００１６】
第１の横線用発光部５ａは、下敷き本体２の長手方向の略中心に配置され、下敷き本体２を長手方向に２つに分割するように設けられている。また、第２の横線用発光部５ｂと第３の横線用発光部５ｃは、下敷き本体２を長手方向に３つに分割した位置に配置されている。なお、第２の縦線用発光部４ｂ及び第３の縦線用発光部４ｃと同様に、下敷き本体２は紙Ｐよりも大きく形成されているため、第２の横線用発光部５ｂと第３の横線用発光部５ｃは、下敷き本体２の長手方向の両側から若干中心側に寄せて設けられている。
【００１７】
次に、発光体３の詳細な構成について図２を参照して説明する。
図２に示すように、発光体３は、略直方体状に形成されたケース１１と、このケース１１内に配置された複数の光源１２とから構成されている。ケース１１は、一面が開口された容器部１１ａと、容器部１１ａの開口を閉じる透明なカバー部１１ｂとを有している。このケース１１は、カバー部１１ｂを載置面２ａ側に向けた状態で、下敷き本体２の載置面２ａに設けられた溝部１４に埋め込まれている。そして、ケース１１は、接着剤によって下敷き本体２に接着固定される。
【００１８】
また、ケース１１の容器部１１ａには、複数の光源１２が所定の間隔を開けて配置されている。光源１２としては、例えば発光ダイオードや有機ＥＬ等を用いることができる。そして、この光源１２から照射された光は、カバー部１１ｂを透過して、下敷き本体
２の載置面２ａから出射される。光源１２を覆うように透明なカバー部１１ｂを設けたことで、光源１２が墨汁等によって汚れることを防ぐことができる。
【００１９】
なお、本例では、下敷き本体２に溝部１４を形成し、この溝部１４に発光体３を構成するケース１１を埋め込む例を説明したが、発光体３の取付方法は、上述した方法に限定されるものではない。例えば、下敷き本体２を複数の下敷き片に分割し、この複数の下敷き片の間に発光体３を配置する。そして、この発光体３と複数の下敷き片を接着固定し、発光型書道用下敷きを形成してもよい。
【００２０】
さらに、光源１２をケース１１内に収納させた例を説明したが、これに限定されるものではなく、光源１２を下敷き本体２に直接取り付けてもよい。
【００２１】
また、発光体３は、不図示の配線によって操作ボックス７と接続される。操作ボックス７は、発光体３の発光パターンの操作や電源のＯＮ・ＯＦＦを行うボタン８を有している。そして、この操作ボックス７には、発光体３に電力を供給するための電源部と、発光体３を制御する制御部が設けられている。
【００２２】
操作ボックス７を操作することで、発光体３を構成する３つの縦線用発光部４ａ，４ｂ，４ｃと３つの横線用発光部５ａ，５ｂ，５ｃのうち発光する発光部が選択される。そして、３つの縦線用発光部４ａ，４ｂ，４ｃと３つの横線用発光部５ａ，５ｂ，５ｃのうち発光した発光部が、文字を書く際の補助線となる（図３参照）。
【００２３】
なお、本例では、発光体３として３つの縦線用発光部４ａ，４ｂ，４ｃと３つの横線用発光部５ａ，５ｂ，５ｃを設けた例を説明したが、これに限定されるものではない。例えば、縦線用発光部及び横線用発光部は、２つ以下、あるいは４つ以上設けてもよく、縦線用発光部及び横線用発光部の数は、目的に応じて適宜設定されるものである。
【００２４】
さらに、発光体３の発光部を下敷き本体２の長手方向及び短手方向に沿って直線状に設けた例を説明したが、これに限定されるものではない。例えば、下敷き本体２に発光部を略円状に配置してもよい。発光部を略円状に配置することで、丸型の文字枠が形成される。そして、この丸形の文字枠を例えばひらがなに用いることで、漢字とひらがなのバランスを整えることができる。
【００２５】
１−２．発光型書道用下敷きの使用方法
次に、図３及び図４を参照して上述した構成を有する発光型書道用下敷き１の使用方法について説明する。
図３は、使用状態を示す正面図、図４は、発光体の発光パターンの例を示す正面図である。
【００２６】
図３に示すように、下敷き本体２における載置面２ａの略中心に紙Ｐを載置する。次に、操作ボックス７を操作して、発光体３を構成する３つの縦線用発光部４ａ〜４ｃ及び３つの横線用発光部５ａ〜５ｃのうち発光させる線を選択する。図３では、文字数が４文字であるため、第１の縦線用発光部４ａと第１の横線用発光部５ａを発光させている。これにより、下敷き本体２の載置面２ａには、２つの線状の光が表示される。そして、載置面２ａに表示された光が載置面２ａに載置された紙Ｐを透過し、紙Ｐに２つの線状の光Ｌが浮かびあがる。
【００２７】
ここで、第１の縦線用発光部４ａは、下敷き本体２の短手方向の略中心に配置されており、第１の横線用発光部５ａは、下敷き本体２の長手方向の略中心に配置されている。そのため、載置面２ａに載置された紙Ｐは、線状の光Ｌによって４つの区分に分割される。これにより、この線状の光Ｌが補助線（文字枠）となり、紙Ｐに４つの文字をバランスよく書くことできる。
【００２８】
このように、紙Ｐを載置面２ａに載置しても、発光体３が発光することで、使用者に補助線をはっきりと視認させることが可能となる。その結果、文字を書く前に紙Ｐに折り目をつける手間を省くことができるだけでなく、折り目が残らないため、文字を書いた後の見栄えを良くすることができる。
【００２９】
図４（Ａ）に示すように、紙Ｐに上下に２つの文字を書く際には、操作ボックス７を操作し、第１の横線用発光部５ａのみを発光させる。これにより、下敷き本体２の載置面２ａは、第１の横線用発光部５ａによって長手方向に２つの区分に分割される。
【００３０】
また、６つの文字を書く場合は、図４（Ｂ）に示すように、第１の縦線用発光部４ａと、第２の横線用発光部５ｂ及び第３の横線用発光部５ｃのみを発光させる。なお、紙Ｐに記載する文字数が９つの場合は、図４（Ｃ）に示すように、第２の縦線用発光部４ｂ及び第３の縦線用発光部４ｃと、第２の横線用発光部５ｂ及び第３の横線用発光部５ｃを発光させればよい。
【００３１】
このように、発光体３は、３つの縦線用発光部４ａ〜４ｃ及び３つの横線用発光部５ａ〜５ｃの発光及び／又は消灯によって複数の発光パターンを有している。そして、この発光パターンを操作ボックス７に設けた操作部で操作することで、紙Ｐに書く文字数が変化しても、その文字数に応じた補助線（文字枠）を容易に形成することができる。
【００３２】
なお、本例では、発光体の光を文字枠に用いた例を説明したが、これに限定されるものではない。例えば、複数の縦線用発光部及び横線用発光部で形成した文字枠の中心に、十字状の発光部を設けてもよい。この十字状に配置された発光部が、文字の中心を示す補助線となり、文字のバランスを整えて書くことができる。
【００３３】
＜第２の実施の形態例＞
次に、図５を参照して発光型書道用下敷きの第２の実施の形態例について説明する。
図５は、第２の実施の形態例にかかる発光型書道用下敷き２１の要部を拡大して示す斜視図である。
【００３４】
この第２の実施の形態例にかかる発光型書道用下敷き２１が第１の実施の形態例に係る発光型書道用下敷き１と異なるところは、発光体の構成である。そのため、ここでは、発光体について説明し、発光体と共通する部分には同一の符号を付して重複した説明を省略する。
【００３５】
図５に示すように、発光体２３は、複数の導光部材２４と、光源２５とから構成されている。導光部材としては、光ファイバを用いることができる。複数の導光部材２４は、下敷き本体２の内部に所定の間隔を開けて設けられている。
【００３６】
この導光部材２４における光が出射される出射端２４ａは、下敷き本体２の載置面２ａから露出している。また、導光部材２４における光が入射される入射端２４ｂは、下敷き本体２の側面２ｂから外側に引き出されている。そして、光源２５から入射端２４ｂに光が入射されると、入射された光は、出射端２４ａから出射される。これにより、載置面２ａには、点状の光が表示される。そして、この光が文字を書く際の補助線となる。
【００３７】
なお、本例では、導光部材の入射端２４ｂを下敷き本体２の側面２ｂから外側に引き出した例を説明したが、載置面２ａと反対側の裏面から導光部材の入射端を外側に引き出してもよい。
【００３８】
その他の構成は、上述した第１の実施の形態例にかかる発光型書道用下敷き１と同様であるため、それらの説明は省略する。このような構成を有する発光型書道用下敷き２１によっても、上述した第１の実施の形態例にかかる発光型書道用下敷き１と同様の作用及び効果を得ることができる。
【００３９】
なお、本考案は上述しかつ図面に示した実施の形態に限定されるものではなく、実用新案登録請求の範囲に記載した考案の要旨を逸脱しない範囲内で種々の変形実施が可能である。例えば、名前を書く欄を設けるために、下敷き本体の短手方向の一側に名前用の線を構成する名前線用発光部を設けてもよい。この場合、縦線用発光部は、名前の欄の幅だけ下敷き本体の短手方向の他側に寄せて設けることが好ましい。
【符号の説明】
【００４０】
１，２１…発光型書道用下敷き、  ２…下敷き本体、  ２ａ…載置面、  ３，２３…発光体、  ４ａ…第１の縦線用発光部（発光部）、  ４ｂ…第２の縦線用発光部（発光部）、  ４ｃ…第３の縦線用発光部（発光部）、  ５ａ…第１の横線用発光部（発光部）、  ５ｂ…第２の横線用発光部、  ５ｃ…第３の横線用発光部（発光部）、  ７…操作ボックス、  １２，２５…光源  ２４…導光部材
【図１】
0003164761.tif 000003
【図２】
0003164761.tif 000004
【図３】
0003164761.tif 000005
【図４】
0003164761.tif 000006
【図５】
0003164761.tif 000007